(57)【要約】【課題】物品を一定の位置に一定のタイミングで確実に供給することができるコンベアであって、封筒加工機の封筒供給機等に使用できるコンベアを提供する。【解決手段】枠体１０に設けられる左右一対の無端チェーン２０と、無端チェーン２０に支持されて一定の間隔で走行する搬送部材３０と、無端チェーン２０の上側で枠体１０に支持される上部平板１１及びガイド板１２を備える。搬送部材３０は、上部平板１１の上面から突出するコマ３１を備え、上部平板１１の上に置かれた物品にコマ３１を当接して搬送する。上部平板１１は、左右何れかの方向に傾斜しており、物品が傾斜の方向へ移動する力を受けると共に、ガイド板１２が移動を制限する。【選択図】図１
2009096629.tif 000002
【特許請求の範囲】
【請求項１】
一定の位置に一定のタイミングで物品を供給するコンベアであって、
枠体に設けられる左右一対の無端チェーンと、該無端チェーンに支持されて一定の間隔で走行する搬送部材と、前記無端チェーンの上側で前記枠体に支持される上部平板及びガイド板を備え、
前記搬送部材が、前記上部平板の上面から突出するコマを備え、前記上部平板の上に置かれた前記物品に前記コマを当接して搬送し、
前記上部平板が前記左右何れかの方向に傾斜しており、前記物品が前記傾斜の方向へ移動する力を受けると共に、前記ガイド板が前記移動を制限していることを特徴とするコンベア。
【請求項２】
前記上部平板が、前記一対の無端チェーンと平行に配置されていることを特徴とする請求項１に記載のコンベア。
【請求項３】
前記上部平板が２以上に分割され、前記コマが、分割された前記上部平板間を走行することを特徴とする請求項１又は２に記載のコンベア。
【請求項４】
前記ガイド板が、前記左右の方向に移設可能であることを特徴とする請求項１乃至３の何れかに記載のコンベア。
【請求項５】
前記コマの位置を検知するセンサーを備え、前記物品を受け入れるタイミングを指示することが可能であることを特徴とする請求項１乃至４の何れかに記載のコンベア。
【請求項６】
前記上部平板の先端部に排出ローラーを備えていることを特徴とする請求項１乃至５の何れかに記載のコンベア。
【請求項７】
前記物品が封筒であることを特徴とする請求項１乃至６の何れかに記載のコンベア。
【発明の詳細な説明】
【技術分野】
【０００１】
本発明は、一定の位置に一定のタイミングで同一物品を供給することができるコンベアに関し、特に、封筒の加工等に利用することができるチェーンコンベアに関する。
【背景技術】
【０００２】
従来、封筒を受け取った人は、封筒を指で引き千切るか、鋏やカッターを用いて開封していた。そして、開封部が醜く千切れてしまったり、中の便箋まで傷付けてしまったりすることがあった。このために、開封する際には気を付けて開封する必要があった。
【０００３】
このような問題を解決して簡単に開封することができる封筒として、例えば、特許文献１に記載された封筒が知られている。図６に示すように、この文献に記載された封筒１１０は、封じ片の折り返しがなされる折線上に切り糸１１７を糊付けすると共に、上部両端が三角形に千切れる分断穴１１９を備えている。そして、分断穴１１９に沿って上端部を千切り、そのまま引っ張ると、切り糸１１７によって折線が切り開かれ、開封できるようになっている。
【０００４】
また、特許文献１には、このような封筒１１０を作るための製造方法が記載されている。図７に示すように、封筒１１０は主コンベア１９０上で加工されるようになっており、封筒１１０を所定の位置に配置するための定規１９１、切断穴１１６を形成するための切断穴成形機１９２、切断穴１１６に糊剤１４３を塗布する糊剤塗布機１９３、糊剤１４３が塗布された折線に切り糸１１７を押し付けるローラー１９４、糊剤１４３を乾燥させる乾燥機１９５、切り糸１１７をカットするカッター１９６、封じ片１１１を折曲する折曲機１９７、分断穴１１９を形成する穴成形機１９８等が記載されている。
【０００５】
この場合、封筒１１０は、ベルトの上に凸状に形成された定規１９１によって位置決めされた後、所定の加工を施されるようになっている。しかしながら、封筒１１０を定規１９１の中に入れることは、非常に困難であった。例えば、積層した封筒１１０の下から順に、定規１９１の凸状部分で切り出すようにしても、確実性に乏しく、乱れを生じて封筒１１０が散乱してしまうことが多い。
【０００６】
また、使用できる封筒１１０は、定規１９１により定められる一種類の形状に限られ、他の寸法の封筒１１０を加工する場合には、定規１９１をベルトと共に交換する必要があった。したがって、加工できる封筒１１０は、予め定規１９１が準備されたものに限定され、定規１９１が準備されていない規格外寸法の封筒等は加工することができない。
【特許文献１】再表２００３−８６８８５号公報
【発明の開示】
【発明が解決しようとする課題】
【０００７】
本発明は上記の課題を解決したものであり、一定の位置に一定のタイミングで同一物品を供給することができるコンベアであって、搬送する物品が乱れを生じることのない、確実性の高いコンベアを提供することを目的とする。また、物品の形状が変わった場合にも、簡単に対応することが可能なコンベアを提供することを目的とする。そして、封筒加工機の供給コンベアとして適用できるばかりでなく、広く他の分野で応用できるコンベアを提供することを目的とする。
【課題を解決するための手段】
【０００８】
上記の課題を解決するために、本発明の請求項１に係るコンベアは、一定の位置に一定のタイミングで物品を供給するコンベアであって、枠体に設けられる左右一対の無端チェーンと、該無端チェーンに支持されて一定の間隔で走行する搬送部材と、前記無端チェーンの上側で前記枠体に支持される上部平板及びガイド板を備え、前記搬送部材が、前記上部平板の上面から突出するコマを備え、前記上部平板の上に置かれた前記物品に前記コマを当接して搬送し、前記上部平板が前記左右何れかの方向に傾斜しており、前記物品が前記傾斜の方向へ移動する力を受けると共に、前記ガイド板が前記移動を制限している手段を採用している。
【０００９】
また、本発明の請求項２に係るコンベアは、請求項１に記載のコンベアであって、前記上部平板が、前記一対の無端チェーンと平行に配置されている手段を採用している。また、本発明の請求項３に係るコンベアは、請求項１又は２に記載のコンベアであって、前記上部平板が２以上に分割され、前記コマが、分割された前記上部平板間を走行する手段を採用している。また、本発明の請求項４に係るコンベアは、請求項１乃至３の何れかに記載のコンベアであって、前記ガイド板が、前記左右の方向に移設可能である手段を採用している。また、本発明の請求項５に係るコンベアは、請求項１乃至４の何れかに記載のコンベアであって、前記コマの位置を検知するセンサーを備え、前記物品を受け入れるタイミングを指示することが可能である手段を採用している。また、本発明の請求項６に係るコンベアは、請求項１乃至５の何れかに記載のコンベアであって、前記上部平板の先端部に排出ローラーを備えている手段を採用している。また、本発明の請求項７に係るコンベアは、請求項１乃至６の何れかに記載のコンベアであって、前記物品が封筒である手段を採用している。
【発明の効果】
【００１０】
本発明のコンベアは、上記の手段を採用することにより、搬送中に物品が乱れを生じることなく、一定の位置に一定のタイミングで確実に物品を供給することができる。また、物品の形状が変わった場合でも、簡単に素早く対応することができる。そして、構造が簡単であり、封筒加工機、印刷機、その他多くの分野において広く使用することができる。
【発明を実施するための最良の形態】
【００１１】
以下、図面に示す本発明の実施の形態について説明する。
図１は、本発明によるコンベアについての一実施の形態を示している。また、図２及び図３は、本発明によるコンベアにより封筒が供給される様子を示している。また、図４は、先端部の排出ローラーを示している。また、図５は、本発明によるコンベアを封筒加工機の封筒供給機として使用する場合を示している。
【００１２】
図１に示すように、本発明のコンベア１は、一定の位置に一定のタイミングで物品を供給するコンベアであって、枠体１０に左右一対の無端チェーン２０が設けられている。無端チェーン２０は、枠体１０の前後に設けられた輪体２１に張架され、モータ２２によって駆動される。そして、この一対の無端チェーン２０に支持されて、コマ３１を備えた搬送部材３０が一定の間隔で走行するようになっている。搬送部材３０は、例えば左右の無端チェーン２０のリンクプレートを溝型部材で連結したものであり、コマ３１は、その所定の位置に突出する部材を設けて形成したものである。
【００１３】
無端チェーン２０の上側には、上部平板１１及び物品をガイド板１２が、枠体１０に支持されて設けられている。上部平板１１は物品の搬送路であり、物品はその上を滑るようにして搬送される。また、ガイド板１２は、物品が左右の方向に対して一定の位置で搬送されるように、物品をガイドするものである。搬送部材３０のコマ３１は、上部平板１１の上面から突出するように設けられており、上部平板１１に置かれた物品に当接することによって、物品を搬送するようになっている。
【００１４】
本発明のコンベア１の大きな特徴は、上部平板１１が左右何れかの方向に傾斜していることである。そして、上部平板１１の上に置かれた物品が、傾斜している方向へ移動する力を受けると共に、ガイド板１２によってその移動が制限されていることである。図１では、上部平板１１は、進行方向に向かって右側に傾斜しているので、物品は右側に移動する力を受けるが、物品がガイド板１２に当接することによってその移動が制限され、物品はガイド版１２に沿って搬送されることになる。
【００１５】
したがって、物品は、常にその一端がガイド板１２に当接して搬送され、一定の位置に排出されることになる。また、無端チェーン２０を一定の速さで走行させることにより、搬送部材３０は一定の間隔で、一定の速さで走行することになり、物品は一定のタイミングで排出されることになる。この結果、本コンベア１が物品を受け取る際に、左右又は前後に多少の狂い（物品が封筒である場合には±１０ｍｍ程度）を生じても、物品は正確に搬出されることになる。
【００１６】
上部平板１１は、一対の無端チェーン２０と平行であることが、運転及び保守の点から好ましい。また、上部平板１１の傾斜は、図１に示すように、通常の形態で製作したコンベア１を、全体的に傾斜させたものであっても良い。傾斜の角度としては、５〜６５度とすることができるが、多くの場合５〜１５度とすることが好ましい。
【００１７】
上部平板１１は、２以上に分割されていることも好ましい。特に、図１に示すように、左右の方向に分割された上部平板１１の間を、コマ３１が走行するような形態とすることが好ましい。
【００１８】
ガイド板１２は、左右の方向に移設可能であることが好ましい。例えば、封筒供給機として使用する場合に、ガイド板１２を移設することにより、大きさの異なる封筒を同様に処理することができる。図２は小型の封筒５０を処理する場合であり、図３は大型の封筒５０を処理する場合を示している。ガイド板１２を移設することによって、加工の対象である封じ片の部分を、一定の位置とすることが可能となり、後続の封筒加工機を同様に使用することが可能となるのである。
【００１９】
本発明のコンベア１は、走行するコマ３１の位置を検知するセンサー３２を備えていることが好ましい。コマ３１の位置を検知することにより、前工程の装置に物品を払い出すタイミングを指示することができる。また、同様に、後工程の装置に物品を受け入れるタイミングを指示することもできる。
【００２０】
また、封筒供給機として使用する場合等においては、上部平板１１の先端部に排出ローラー４０を備えていることが好ましい。排出ローラー４０は、外径の等しい上部ローラー４１及び下部ローラー４２を備え、両ローラーを同じ回転数で反対方向に回転させることが好ましい。これによって、封筒などを正確に把持することが可能となり、正確なタイミングで確実に排出することができる。
【００２１】
以上説明したように、本発明のコンベア１は、前工程に物品を払い出すタイミングを指示することが可能であり、後工程に対しては一定の位置に一定のタイミングで確実に物品を供給することができる。そして、ガイド板１２の位置を変えることにより、形状の異なる物品に対して簡単に素早く対応することができる。また、構造が簡単であり、多くの分野で広く使用することができる。
【００２２】
次に、本発明のコンベア１を封筒加工機７０の封筒供給機６０として使用した例について、図５により説明する。封筒加工機７０は、封筒５０の封じ片に開封用の切り糸を設ける装置である。
【００２３】
処理前の封筒５０は、封筒トレイ６１内に束状で保持されている。そして、封筒供給機６０からのタイミング信号を受けて、封筒供給機６０の上部平板１１の上に送り出される。封筒５０は、上部平板１１の上において上述の方法で正確に位置決めされ、排出ローラー４０から所定のタイミングで封筒加工機７０の主コンベア７１に引き渡され、一連の加工を受けることになる。
【００２４】
封筒加工機７０には、摘み加工部７２、ミシン目加工部７３、糸供給部７４、糸貼り部７５、乾燥部７６及び糸切断部７７等が設けられており、封筒５０は、ミシン目加工や切り糸の接着等、所定の加工が施される。封筒５０は、主コンベア７１によって所定の位置に所定のタイミングで供給されるので、所定の加工が正確に行われることになる。加工後の封筒５０は、製品ストッカ８０に束状で収められる。
【図面の簡単な説明】
【００２５】
【図１】本発明のコンベアの一態様を示す概略図である。
【図２】本発明のコンベアを封筒供給機として使用する一態様を示す概略図である。
【図３】本発明のコンベアを封筒供給機として使用する他の態様を示す概略図である。
【図４】排出ローラーの一態様を示す概略図である。
【図５】本発明のコンベアを封筒供給機とした封筒加工機の一態様を示す概略図である。
【図６】従来の封筒の一例を示す説明図である。
【図７】従来の封筒加工機の一例を示す説明図である。
【符号の説明】
【００２６】
１    コンベア
１０    枠体
１１    上部平板
１２    ガイド板
２０    無端チェーン
２１    輪体
２２    モータ
３０    搬送部材
３１    コマ
３２    センサー
４０    排出ローラー
４１    上部ローラー
４２    下部ローラー
５０、１１０    封筒
６０    封筒供給機
６１    封筒トレイ
７０    封筒加工機
７１、１９０    主コンベア
７２    摘み加工部
７３    ミシン目加工部
７４    糸供給部
７５    糸貼り部
７６    乾燥部
７７    糸切断部
８０    製品ストッカ
１１１    封じ片
１１６    切断穴
１１７    切り糸
１１９    分断穴
１４３    糊剤
１９１    定規
１９２    切断穴成形機
１９３    糊剤塗布機
１９４    ローラー
１９５    乾燥機
１９６    カッター
１９７    折曲機
１９８    穴成形機
【図１】
2009096629.tif 000003
【図２】
2009096629.tif 000004
【図３】
2009096629.tif 000005
【図４】
2009096629.tif 000006
【図５】
2009096629.tif 000007
【図６】
2009096629.tif 000008
【図７】
2009096629.tif 000009